(57)【特許請求の範囲】
【請求項１】
遊技機の前面側に押圧操作可能に設けられたボタン押圧部を備えるボタン操作機構であって、
前記ボタン押圧部は、この押圧方向先端側に配置された支持本体部に対して往復移動可能に設けられ、
前記支持本体部は、弾性手段によって附勢されて前記遊技機から突出する方向に移動するとともに、モータからの動力を受けて駆動する駆動部によって押されて前記遊技機から突出する方向に移動し、
前記駆動部は、前記遊技機に回転可能に支持されて前記モータからの動力を受けて回転する回転体と、前記回転体の側面に設けられたカム溝と、前記支持本体部から張り出す張出部に設けられて前記カム溝内に挿入され、前記回転体の回転に伴って前記カム溝に沿って移動して前記支持本体部を介して前記ボタン押圧部を突出入させる係合ピンを有し、
前記カム溝は、
前記弾性手段の附勢によって前記ボタン押圧部を該ボタン押圧部が設置された場所の裏側に退避する後退位置から突出する第１突出位置に移動させるように前記係合ピンの移動を案内する第１突出溝部と、
前記弾性手段の附勢によらず前記ボタン押圧部を前記第１突出位置からさらに突出する第２突出位置に移動させるように前記係合ピンの移動を案内する第２突出溝部を有する、ことを特徴とするボタン操作機構。
【請求項２】
前記第１突出溝部は、前記回転体の回転時に前記ボタン押圧部の突出側への移動方向と略同一方向に延び、
前記第２突出溝部は、前記回転体の回転に伴って該回転体の回転中心から半径方向の距離が暫時大きくなるように延びるとともに、前記第１突出溝部の前記回転体径方向外側端部に連続的に繋がっていることを特徴とする請求項１に記載のボタン操作機構。
【請求項３】
前記請求項１または２の少なくともいずれかに記載のボタン操作機構を備えていることを特徴とする遊技機。
【発明の詳細な説明】
【技術分野】
【０００１】
本発明は、遊技機の前面側に押圧操作可能に設けられたボタン押圧部を備えるボタン操作機構及びこれを備える遊技機に関する。
【背景技術】
【０００２】
従来、遊技機の一種であるぱちんこ遊技機には、遊技盤の中央部に図柄変動表示装置が設けられ、遊技機の下部受皿に押ボタンが設けられたものがある（特許文献１参照）。この特許文献１に記載のぱちんこ遊技機は、図柄変動表示装置のリーチ状態時に上方へ突出した操作可能な状態にある押ボタンが押されると、図柄変動表示装置に表示される図柄の変動パターンを変更して、遊技の多様性を高めることができる。
【０００３】
この押ボタンは、遊技機に設けられたケースに対して上下方向に突出入自在に設けられ、スプリングの附勢力により押ボタンがケースから上方へ突出し、押ボタンがケースに設けられた係合手段及びフランジのいずれかに当接すると、押ボタンがケースから突出した状態に維持される。
【０００４】
押ボタンの下端部には外側へ張り出すフランジが環状に設けられ、このフランジが設けられた押ボタンの側方には係合手段が配置されている。係合手段は押ボタンの側方から押ボタンに対して進退自在に設けられた係合片を有し、この係合片が押ボタン側に移動すると、スプリングによって上方へ附勢された押ボタンのフランジが係合片に当接して、押ボタンがケースから比較的短い長さで突出した状態で押ボタンの上方への移動が規制される。
【０００５】
フランジに当接した係合片が押ボタンから後退すると、押ボタンの上方への移動規制が解除されて、押ボタンはスプリングの附勢によってさらに上方へ突出する。
【０００６】
ケースの上端部にはケース内側へ張り出す張出部が環状に設けられ、この張出部は、スプリングの附勢により上方へ移動する押ボタンのフランジと当接すると、押ボタンがケースから比較的長い長さで突出した状態で押ボタンの上方への移動を規制する。
【先行技術文献】
【特許文献】
【０００７】
【特許文献１】特開２００７−２９６０９０号公報（段落番号００１４、図４、図７参照）
【発明の概要】
【発明が解決しようとする課題】
【０００８】
このような従来のパチンコ遊技機では、スプリングによって押ボタンが附勢されて押ボタンの突出長さが短い状態から長い状態になるが、この押ボタンの突出動作は突飛なものではないので、押ボタンの突出動作が遊技者に印象付けるものではない。このため、押ボタンが操作可能な状態にあることをより強いインパクトで遊技者に伝えることが可能なボタン操作機構が望まれている。
【０００９】
本発明は、このような要望に応えるものであり、押ボタンが操作可能な状態にあることをより強いインパクトで遊技者に伝えることができるボタン操作機構及びこれを備える遊技機を提供することを目的とする。
【課題を解決するための手段】
【００１０】
このような課題を解決するため、本発明は、遊技機の前面側に押圧操作可能に設けられたボタン押圧部を備えるボタン操作機構であって、ボタン押圧部は、この押圧方向先端側に配置された支持本体部に対して往復移動可能に設けられ、支持本体部は、弾性手段（実施形態における圧縮コイルばね４５）によって附勢されて遊技機から突出する方向に移動するとともに、モータからの動力を受けて駆動する駆動部によって押されて遊技機から突出する方向に移動し、駆動部は、遊技機に回転可能に支持されてモータからの動力を受けて回転する回転体と、回転体の側面に設けられたカム溝と、支持本体部から張り出す張出部に設けられてカム溝内に挿入され、回転体の回転に伴ってカム溝に沿って移動して支持本体部を介してボタン押圧部を突出入させる係合ピンを有し、カム溝は、弾性手段の附勢によってボタン押圧部を該ボタン押圧部が設置された場所の裏側に退避する後退位置（実施形態における図８（ａ）に示す位置Ｐｄ）から突出する第１突出位置（実施形態における図８（ｂ−１）に示す位置Ｐｕ１）に移動させるように係合ピンの移動を案内する第１突出溝部と、弾性手段の附勢によらずボタン押圧部を第１突出位置からさらに突出する第２突出位置（実施形態における図８（ｂ−５）に示す位置Ｐｕ２）に移動させるように係合ピンの移動を案内する第２突出溝部を有する、ことを特徴とする（請求項１）。
【００１１】
ボタン押圧部は、遊技者が押圧操作可能なものであればよく、遊技機に上下方向に配設されたものや、横方向に配設されたものでもよい。往復移動可能とは、例えば、遊技者がボタン押圧部を押圧操作すると、ボタン押圧部が押圧方向先端側へ移動し、押圧操作が解除されると、ボタン押圧部が元の位置に戻るように移動する場合をいう。具体的には、ボタン押圧部をキャップ状に形成して支持本体部に移動可能に挿着し、ボタン押圧部と支持本体部との間に圧縮コイルばねを設ける。このように構成すると、ボタン押圧部が押圧操作されると圧縮コイルばねの附勢に抗してボタン押圧部が押圧方向先端側へ移動し、押圧操作が解除されると、圧縮コイルばねの伸長によってボタン押圧部が元の位置に戻る。
【００１２】
弾性手段は、支持本体部を附勢して遊技機に対して突出させるものであればよく、具体的には、圧縮コイルばね、板ばね等である。この弾性手段によってボタン押圧部は、これが設置された場所の裏側に退避する後退位置から突出する第１突出位置に移動する。ここで、場所の裏側に退避する後退位置とは、例えば、ボタン押圧部が遊技機のある場所に設けられ、この場所の設置面からボタン押圧部が突出入する場合、ボタン押圧部が設置面側に退避した位置をいい、具体的には、ボタン押圧部の頂部が設置面に対して僅かに突出した位置や、頂部が設置面と略同一平面上にある位置をいう。第１突出位置とは、例えば、設置面からボタン押圧部の頂部の位置が所定距離を有した状態にあるときのボタン押圧部の位置をいう。
【００１４】
駆動部によって、支持本体部は第１突出位置からさらに突出した第２突出位置に移動する。ここで、第２突出位置とは、例えば、ボタン押圧部の頂部と設置面までの距離が第１突出位置に移動したボタン押圧部の対応する距離よりも大きな距離を有した状態にあるときのボタン押圧部の位置をいう。
【００１５】
回転体は、回転自在に支持されるとともに、モータから動力を受けて回転する。回転体の回転方向は、一方向に限るものではなく、反対方向でもよい。回転体は側面にカム溝を形成する。回転体の側面とは、例えば、回転体の回転中心軸に対して直交する面をいい、具体的には、回転体が円板状に形成されたものである場合には、円板の厚さ方向両側の面のいずれかをいう。
【００１６】
カム溝は、回転体の側面に設けられ、回転体の回転に伴って係合ピンの位置を案内して支持本体部を介してボタン押圧部を突出入させるように構成される。カム溝は、回転体の少なくとも一回転によって、ボタン押圧部が後退位置から第１突出位置に移動するとともにボタン押圧部が第１突出位置から第２突出位置に移動し、さらにボタン押圧部が後退位置に戻るように構成される。
【００１８】
第１突出溝部は、具体的には、回転体の回転時に押ボタンの突出側への移動方向と略同一方向に延びる（請求項２）。第２突出溝部は、具体的には、回転体の回転に伴って該回転体の回転中心から半径方向の距離が暫時大きくなるように延びるとともに、第１突出溝部の回転体径方向外側端部に連続的に繋がる（請求項２）。
【００１９】
ばね突出溝部は、直線状に延び、その長さは弾性手段の変形量を考慮して設定される。カム突出溝部は、回転体の回転角度に対して半径方向の距離の変化が比較的に大きい場合には、押ボタンは急激に突出し、半径方向の距離の変化が比較的に小さい場合には、押ボタンは緩やか突出する。
【００２０】
このような請求項１又は請求項２に記載のボタン操作機構は遊技機に備えられる（請求項３）。遊技機は、ぱちんこ遊技機のような弾球遊技機の他に、スロットマシンでもよい。
【発明の効果】
【００２１】
本発明によれば、ボタン押圧部の突出動作を、異なる突出動作で且つ段階的に突出することができ、ボタン押圧部が操作可能な状態にあることをより強いインパクトで遊技者に伝えることが可能なボタン操作機構及びこれを備える遊技機を提供することができる。
【図面の簡単な説明】
【００２２】
【図１】本発明の一実施の形態に係わるボタン操作機構の背面側の斜視図を示す。
【図２】本発明の一実施の形態に係わるボタン操作機構が設けられた遊技機を示し、同図（ａ）は遊技機の斜視図であり、同図（ｂ）は遊技機の側面図である。
【図３】本発明の一実施の形態に係わるボタン操作機構が設けられた遊技機を示し、同図（ａ）は遊技機の斜視図であり、同図（ｂ）は遊技機の側面図である。
【図４】本発明の一実施の形態に係わるボタン操作機構を示し、同図（ａ）はボタン操作機構の平面図であり、同図（ｂ）はボタン操作機構の正面図であり、同図（ｃ）はボタン操作機構の左側面図であり、同図（ｄ）はボタン操作機構の背面図である。
【図５】本発明の一実施の形態に係わるボタン操作機構の分解斜視図を示す。
【図６】本発明に係わるボタン操作機構の部分構造図を示す。
【図７】ボタン操作機構を示し、同図（ａ）はボタン操作機構の正面側斜視図であり、同図（ｂ）はボタン操作機構の正面側内部構造図である。
【図８】本発明の一実施の形態に係わるボタン操作機構の動作説明図を示す。
【図９】本発明の一実施の形態に係わるボタン操作機構の動作説明図を示す。
【発明を実施するための形態】
【００２３】
以下、図面を用いて本発明を実施するための最良の形態を説明する。
【００２４】
図２（ａ）（斜視図）は遊技機１の下部に配置された受け皿ユニット３に設けられたボタン押圧部４１を有したボタン操作機構の構成例を示す。なお、遊技機１は、ぱちんこ機を例にして説明するが、遊技機１はぱちんこ機等の弾球遊技機に限るものではなく、スロットマシンでもよい。
【００２５】
初めに遊技機全体の説明をする。図２（ａ）及び図２（ｂ）に示すように、正面視矩形状の枠部材５の上側には、前面ガラス６が設けられ、前面ガラス６の後方側には図示しない図柄表示部、複数の入賞口等が設けられた遊技盤７が配設されている。前面ガラス６の下方の枠部材５には受け皿ユニット３が配設され、受け皿ユニット３の右側端部の下方の枠部材５には操作ハンドル８が配設されている。操作ハンドル８は枠部材５から遊技者側へ突出し、遊技球を発射させる際に遊技者によって操作される。
【００２６】
受け皿ユニット３の遊技者側の端部には上下方向に突出入して遊技者による操作を受け付けるボタン押圧部４１が配設されている。ボタン押圧部４１の操作は例えば遊技中における特定のリーチ演出に際し、ボタン押圧部４１の押圧操作を促すガイダンスが表示されている間有効となり、ボタン押圧部４１は受け皿ユニット３から上方へ突出した位置（後述する第２突出位置Ｐｕ２）に移動した状態になる。
【００２７】
このように構成された遊技機１に設けられたボタン押圧部４１を突出入させるボタン操作機構２０について説明する。ボタン操作機構２０は、図１（斜視図）に示すように、箱状に形成された枠体部２１と、枠体部２１の上部に配置されて上下方向に往復動可能に設けられたボタン押圧部４１を有するボタン操作部４０と、枠体部２１内に配設されてボタン押圧部４１を枠体部２１に対して突出入させる駆動部５０とを有してなる。
【００２８】
枠体部２１は、図４（ａ）〜図４（ｄ）、図５に示すように、矩形状の天板部２２と天板部２２の前側端部及び後側端部にねじ２５を介して取り付けられて下方へ延びる一対の側板部２３，２４を有してなる。一対の側板部２３，２４は矩形状をなして互いに対向配置され、一対の側板部２３，２４間に駆動部５０が収容されている。枠体部２１は、その幅方向側の両側面側端部と底面側端部が開口して箱状に形成されている。この枠体部２１の天板部２２にボタン押圧部４１が配置されている。
【００２９】
側板部２３の中央部には上下方向に延びる長孔２３ａが設けられている。この長孔２３ａは、後述する支持本体部４３の張出部４３ｂに設けられたピン４４（図７（ｂ）参照）を挿通して支持本体部４３を介してボタン押圧部４１の上下方向の往復移動を案内する。長孔２３ａの下方の側板部２３には孔部２３ｂが設けられ、この孔部２３ｂに後述する回転体５１（図７（ａ）参照）の軸部５２が挿通される。天板部２２の前側中央部には、張出部４３ｂを挿通するための挿通孔２３ｃが設けられている。
【００３０】
ボタン操作部４０は、上方からボタン押圧部４１，支持本体部４３、圧縮コイルばね４５を有して構成される。ボタン押圧部４１は、外形が円柱状に形成され、内部が中空であって下部が開口してキャップ状に形成される。ボタン押圧部４１は、その押圧方向先端側（下方）に配置された支持本体部４３の上部に往復動可能に挿着される。
【００３１】
支持本体部４３は、円柱状に形成されてボタン押圧部４１を挿入する挿入軸部４３ａと挿入軸部４３ａの下端から下方へ延びる張出部４３ｂを有してなる。挿入軸部４３ａは、ボタン押圧部４１を往復動自在に挿入可能な外径を有する。ボタン押圧部４１の内側空間部に圧縮コイルばね４２が挿入され、ボタン押圧部４１が挿入軸部４３ａに挿入されると、圧縮コイルばね４２はその上端部がボタン押圧部４１の頂部内面に接触し、下端部が挿入軸部４３ａの上面に接触した状態となる。この状態でボタン押圧部４１が下方に押圧操作されると、ボタン押圧部４１は圧縮コイルばね４２の附勢に抗して下方へ移動し、ボタン押圧部４１の押圧操作が解除されると、圧縮コイルばね４２が伸長してボタン押圧部４１が元の位置に戻る。
【００３２】
張出部４３ｂは円柱状に形成され、挿入軸部４３ａの中心軸線と略同軸上に延びる。張出部４３ｂは挿入軸部４３ａよりも小径に形成されている。このため、挿入軸部４３ａの下端と張出部４３ｂの上端部との間には環状の段部４３ｃが形成されている。この段部４３ｃは、後述する圧縮コイルばね４５の弁座として機能する。
【００３３】
張出部４３ｂの前側の側面の下側には上下方向に所定の間隔を有して突出した一対のピン４４（図７（ｂ）参照）が設けられている。これらのピン４４は、側板部２３に設けられた長孔２３ａに沿って移動して支持本体部４３を介してボタン押圧部４１の上下往復移動を案内する。ピン４４の先端部には止め輪４４ａが装着されてピン４４の長孔２３ａからの抜脱を防止している。
【００３４】
張出部４３ｂの後側の側面の下側には係合ピン４６（図７（ｂ）参照）が突設されている。この係合ピン４６は、駆動部５０の回転体５１に設けられた後述するカム溝５３（図７（ａ）、図７（ｂ）参照）に係合し、回転体５１の回転に伴って支持本体部４３を介してボタン押圧部４１を上下方向に往復移動させる。
【００３５】
支持本体部４３は、その張出部４３ｂに圧縮コイルばね４５が挿着された状態で天板部２２に設けられた挿通孔２３ｃの上方から張出部４３ｂが挿通され、挿通孔２３ｃから延出する張出部４３ｂの下側にピン４４及び係合ピン４６が設けられる。圧縮コイルばね４５は、ばね座として機能する段部４３ｃと天板部２２との間に配置され、ボタン押圧部４１が下方へ押圧操作されると、圧縮コイルばね４５が縮小してボタン押圧部４１の下方への移動に抗して附勢し、ボタン押圧部４１の押圧操作がなくなると、圧縮コイルばね４５は伸長してボタン押圧部４１を上方へ移動させる。圧縮コイルばね４５は、自然状態に戻ったときの長さが張出部４３ｂの上下方向の長さよりも短いように構成される。このため、圧縮コイルばね４５が自然状態に戻っても、張出部４３ｂは挿通孔２３ｃから下方へ延出した状態にある。このため、後述する駆動部５０によって支持本体部４３を介してボタン押圧部４１を上方へさらに移動させることができる。
【００３６】
駆動部５０は、一対の側板部２３，２４間に回転自在に支持された回転体５１と、張出部４３ｂに設けられた前述した係合ピン４６と、回転体５１の側面に設けられ、係合ピン４６と係合してボタン押圧部４１の上下方向の移動を案内するカム溝５３と、回転体５１を回転駆動させるモータ５８と、モータ５８からの動力を回転体５１に伝達する動力伝達機構６０とを有してなる。
【００３７】
回転体５１は円板状に形成され、その回転中心は偏心した位置にあり、この偏心位置に軸部５２が挿着されている。回転体５１は、軸部５２に対して回転自在に支持され、回転体５１が軸部５２に支持された状態で、回転体５１の前側の側面５１ａ（図７（ｂ）参照）が係合ピン４６に対向するように配置されている。回転体５１の後側の側面５１ｂには、動力伝達機構６０の一部である従動ギヤ６１（図６参照）が回転体５１と一体的に設けられている。従動ギヤ６１は軸部５２と同軸上に配置されている。軸部５２は回転体５１及び従動ギヤ６１を貫通し、軸部５２の前側端部は前側の側板２３に支持され、後側の端部は後側の側板２４に支持される。
【００３８】
従動ギヤ６１の上方には、天板部２２の裏面に接続されて下方へ張り出す支持板２７に回転自在に支持されて従動ギヤ６１と歯合する駆動ギヤ６３（図６参照）が配設されている。駆動ギヤ６３の回転体５１と反対側の側面にはクラッチ機構の一方側を構成するクラッチ部材６５（図６参照）が駆動ギヤ６３に一体的に設けられている。駆動ギヤ６３は、動力伝達機構６０の一部であり、従動ギヤ６１の軸部５２と平行に延びて支持板２７に装着される軸部６４に回転自在に支持される。
【００３９】
クラッチ部材６５は円柱状に形成され、その先端部の周縁部には、クラッチ部材６５の回転中心から放射状に延びて断面形状が三角状の歯部が周方向に連続的に設けられている。このクラッチ部材６５は、これと対向する他方側のクラッチ部材６６（図６参照）と噛み合ってモータ５８の動力を駆動ギヤ６３に伝達する。
【００４０】
駆動ギヤ側のクラッチ部材６５は、駆動ギヤ６３が枠体部２１に支持された状態で側板部２４に設けられた挿通孔２４ａの内側から外側に挿通されて、クラッチ部材６５の歯部が側板部２４の外側に位置している。
【００４１】
モータ側のクラッチ部材６６は側板２４の外側に配設されたモータ５８の軸部５８ａに軸部材６９を介して取り付けられている。モータ側のクラッチ部材６６は駆動ギヤ側のクラッチ部材６５と同様の構成を有し、その先端部に放射状に延びる歯部が周方向に連続して設けられている。
【００４２】
軸部材６９は、モータ５８の軸部５８ａに取り付けられる大径部６９ａと、大径部６９ａから突出して大径部６９ａよりも小径な小径部６９ｂを有してなる（図５参照）。大径部６９ａの小径部側と反対側の端面にはモータ５８の軸部５８ａを挿入する挿入穴部が設けられている。小径部６９ｂはモータ側のクラッチ部材６６の中心部に設けられた孔部６６ａに挿入され、小径部６９ｂの先端部に止め輪７０が装着されて、モータ側のクラッチ部材６６が軸部材６９から抜脱されるのを規制している。
【００４３】
モータ５８の軸部５８ａは、軸部材６９に挿入された状態で大径部６９ａに螺合する止めねじ７１によって大径部６９ａに締結される。大径部６９ａの小径部６９ｂ側と反対側の端部には外側に張り出す環状の突出部６９ｃが形成されている。この突出部６９ｃは後述する圧縮コイルばね７５のばね座として機能する。
【００４４】
モータ側のクラッチ部材６６と軸部材６９の突出部６９ｃとの間には圧縮コイルばね７５が圧縮状態で挿入されている。このため、モータ側のクラッチ部材６６は圧縮コイルばね７５によって軸部材６９の先端側に常に附勢された状態にある。
【００４５】
モータ５８は、ステッピングモータであり、ボタン押圧部４１が圧縮コイルばね４５によって受け皿ユニット３（図２（ａ）参照）に対して上方へ突出した状態でさらに上方へ突出させる場合や、ボタン押圧部４１を受け皿ユニット側に後退させる場合に駆動する（図３（ａ）、図３（ｂ）参照）。ボタン押圧部４１を受け皿ユニット３に対して最も上方に突出した位置（図８（ｂ−５）に示す第２突出位置Ｐｕ２参照）に移動させるには、圧縮コイルばね４５によってボタン押圧部４１が上方へ突出された状態時のモータ５８の軸部５８ａの位置に対して、ボタン押圧部４１が第２突出位置Ｐｕ２に移動したときのモータ５８の軸部５８ａの回転量を設定し、その設定量に達したときにモータ５８への電力供給を停止するようにする。また、第２突出位置Ｐｕ２からボタン押圧部４１を受け皿ユニット側に退避させて、ボタン押圧部４１の上面が受け皿ユニット３の上面と略同一平面上に位置（図８（ａ）に示す後退位置Ｐｄ参照）するようにボタン押圧部４１を移動させるには、ボタン押圧部４１が第２突出位置Ｐｕ２に移動したときのモータ５８の軸部５８ａの位置に対して、ボタン押圧部４１が後退位置Ｐｄに移動したときのモータ５８の軸部５８ａの回転量を設定し、その設定量に達したときにモータ５８への電力供給を停止するようにする。
【００４６】
モータ５８は、枠体部２１の一方側の側板部２４に設けられた保持部材７７に取り付けられている。保持部材７７は、平面視においてコ字状に形成されて、モータ５８を取り付ける取付板部７８と、取付板部７８の両側から側板部側へ延びる板状の一対の脚部７９を有してなる。取付板部７８には、モータ５８の軸部５８ａやモータ５８を締結するねじ８０を挿通するための孔部８１が複数設けられ、この孔部８１に螺合するねじ８０によってモータ５８が取付板部７７に取り付けられている。脚部７９の先端部には外側へ張り出すフランジ部７９ａが形成され、このフランジ部７９ａに挿通されたねじ８０によってフランジ部７９ａが側板部２４に締結されて、保持部材７７が側板部２４に取り付けられている。
【００４７】
このようにモータ５８が取り付けられた保持部材７７を側板部２４に取り付けると、モータ側に取り付けられたモータ側のクラッチ部材６６は、圧縮コイルばね７５によって駆動ギヤ側のクラッチ部材６５に附勢された状態で接合する。このため、モータ５８が駆動すると、モータ５８の動力は一対のクラッチ部材６５，６６を介して駆動ギヤ６３に伝達され、従動ギヤ６１を介して回転体５１が回転する。
【００４８】
この回転する回転体５１の側面５１ａに係合ピン４６と係合するカム溝５３が設けられている。カム溝５３は、図８（ｂ−１）、図９（ｂ−１）に示すように、回転体５１の回転時にボタン押圧部４１の突出側への移動方向と略同一方向に延びて圧縮コイルばね４５の附勢によって支持本体部４３を介してボタン押圧部４１を突出側へ移動させるばね突出溝部５３ａと、回転体５１の回転に伴って回転体５１の回転中心Ｏから半径方向の距離が暫時大きくなるように延びるとともに、ばね突出溝部５３ａの回転体径方向外側端部に連続的に繋がるカム突出溝部５３ｂと、回転体５１の回転に伴って回転体５１の回転中心Ｏから半径方向の距離が暫時小さくなるように延びるとともに、カム突出溝部５３ｂの端部に連続的に繋がるカム突入溝部５３ｃとを有してなる。
【００４９】
このように構成されたカム溝５３を有した回転体５１は、図８（ａ）及び図９（ａ）に示すように、ボタン押圧部４１の上面が受け皿ユニット３の上面と略同一平面上に位置（このときのボタン押圧部４１の位置を、以下、後退位置Ｐｄと記す。）している状態で、矢印Ａ方向に回転すると、ばね突出溝部５３ａがボタン押圧部４１の突出側への移動方向と略同一方向に延びるにともない、圧縮コイルばね４５の附勢によって支持本体部４３を介してボタン押圧部４１が上方へ突出する（図８（ｂ−１）、図９（ｂ−１）参照）。ボタン押圧部４１が圧縮コイルばね４５の附勢によって上方へ突出したときのボタン押圧部４１の位置を第１突出位置Ｐｕ１と記す。
【００５０】
なお、図８（ａ）及び図９（ａ）に示すように、係合ピン４６がばね突出溝部５３ａとカム突入溝部５３ｃの接続部分に移動すると、ボタン押圧部４１は後退位置Ｐｄに移動して圧縮コイルばね４５は全縮状態になる。ボタン押圧部４１が後退位置Ｐｄに移動したときの圧縮コイルばね４５は全縮状態に限るものではなく、僅かに伸長した状態でもよい。
【００５１】
このように、回転体５１の矢印Ａ方向の回転に伴ってばね突出溝部５３ａがボタン押圧部４１の突出側への移動方向と略同一方向に延びると、圧縮コイルばね４５の附勢によってボタン押圧部４１は上方へ突出して第１突出位置Ｐｕ１に移動する（図８（ｂ−１）、図９（ｂ−１）参照）。ここで、図９（ｂ−１）に示すように、係合ピン４６がばね突出溝部５３ａの上端部に移動すると、圧縮コイルばね４５は自然状態（自然長）に戻る。このため、圧縮コイルばね４５によるボタン押圧部４１への附勢が無くなった状態で、ボタン押圧部４１の移動は停止する。なお、係合ピン４６がばね突出溝部５３ａの上端部に移動したときの圧縮コイルばね４５は自然状態に限るものではなく、僅かに縮小した状態でもよい。
【００５２】
係合ピン４６がばね突出溝部５３ａの上端部に移動した状態で回転体５１がさらに矢印Ａ方向に回転すると、図８（ｂ−２〜５）及び図９（ｂ−５）に示すように、係合ピン４６はカム突出溝部５３ｂ内を移動する。その結果、ボタン押圧部４１は支持本体部４３を介して第１突出位置Ｐｕ１よりさらに突出し、係合ピン４６がカム突出溝部５３ｂとカム突入溝部５３ｃの接続部分に移動すると、ボタン押圧部４１は受け皿ユニット３から最も突出した第２突出位置Ｐｕ２に移動する（図８（ｂ−５）及び図９（ｂ−５）参照）。このように、ボタン押圧部４１は圧縮コイルばね４５と駆動部５０によって、受け皿ユニット３に対して異なる突出動作で且つ段階的に突出する。このため、ボタン操作部４０が押圧操作可能な状態にあることをより強いインパクトで遊技者に伝えることができる。
【００５３】
係合ピン４６がカム突出溝部５３ｂとカム突入溝部５３ｃの接続部分に移動した状態で回転体５１がさらに矢印Ａ方向に回転すると、図８（ｃ−１〜３）及び図９（ｃ−２）に示すように、係合ピン４６はカム突入溝部５３ｃ内を移動する。その結果、ボタン押圧部４１は受け皿ユニット３に対して突入する方向に移動し、係合ピン４６がカム突入溝部５３ｃとばね突出溝部５３ａとの接続部分に移動すると（図８（ａ）参照）、前述したようにボタン押圧部４１上面が受け皿ユニット３の上面と略同一平面上に位置する後退位置Ｐｄに移動する。
【００５４】
なお、係合ピン４６がカム突入溝部５３ｃの図９（ｃ−２）に示す位置に移動すると、ボタン押圧部４１の挿入軸部４３ａの下面が自然長に戻った圧縮コイルばね４５の上端部に接した状態になる。このため、この状態で回転体５１が矢印Ａ方向にさらに回転して、ボタン押圧部４１が突入方向へ移動するのに伴って圧縮コイルばね４５が圧縮されると、係合ピン４６がカム突入溝部５３ｃの側面に附勢されて回転体５１の回転に対して負荷が作用することになる。
【００５５】
このため、歯合状態にある一対のクラッチ部材６５，６６のモータ側のクラッチ部材６６にこの負荷に対応した制動トルクが作用する。しかしながら、この制動トルクがモータ側のクラッチ部材６６に作用しても、クラッチ部材６６は前述したように圧縮コイルばね７５によって駆動ギヤ側のクラッチ部材６５に附勢されているので、モータ側のクラッチ部材６６が駆動ギヤ側のクラッチ部材６５から離反して歯部同士の噛み合いが解除されることはない。つまり、モータ側のクラッチ部材６６を附勢する圧縮コイルばね７５は、前述した制動トルクが作用しても歯部同士の噛み合い状態を維持可能なばね定数を有して構成されている。
【００５６】
ただし、モータ５８が駆動して回転体５１が回転中にボタン押圧部４１が大きな力で押圧されて支持本体部４３の係合ピン４６が回転体５１に押し付けられると、回転体５１に負荷が作用した状態となり、モータ側のクラッチ部材６６が回転するに伴って駆動ギヤ側のクラッチ部材６５から離反して歯部同士の噛み合いが解除される。つまり、ボタン押圧部４１が大きな力で押圧されて回転体５１に作用する負荷が所定値を超えると、モータ側のクラッチ部材６６が回転するに伴って、クラッチ部材６６が駆動ギヤ側のクラッチ部材６５から離反するように圧縮コイルばね７５が設計されている。このため、クラッチ部材６５，６６の歯部に過大な力が作用して歯部が損傷する虞や、モータ５８が脱調する虞を未然に防止することができる。
【符号の説明】
【００５７】
１  遊技機
３  受け皿ユニット（場所）
２０  ボタン操作機構
４１  ボタン押圧部
４３  支持本体部
４３ｂ  張出部
４５  圧縮コイルばね（弾性手段）
４６  係合ピン
５０  駆動部
５１  回転体
５３  カム溝
５３ａ  ばね突出溝部
５３ｂ  カム突出溝部
５８  モータ
Ｐｄ  後退位置
Ｐｕ１  第１突出位置
Ｐｕ２  第２突出位置
【図１】
0005536483.tif 000002
【図２】
0005536483.tif 000003
【図３】
0005536483.tif 000004
【図４】
0005536483.tif 000005
【図５】
0005536483.tif 000006
【図６】
0005536483.tif 000007
【図７】
0005536483.tif 000008
【図８】
0005536483.tif 000009
【図９】
0005536483.tif 000010